【手続補正書】
【提出日】平成21年7月14日(2009.7.14)
【手続補正１】
【補正対象書類名】特許請求の範囲
【補正対象項目名】全文
【補正方法】変更
【補正の内容】
【特許請求の範囲】
【請求項１】
空気を圧縮して吐出する複数台の空気圧縮装置と、該空気圧縮装置による圧縮空気を貯留するタンクと、該タンク内の圧力を検出する圧力検出手段と、該圧力検出手段により検出された前記タンク内の圧力に応じて、前記複数台の空気圧縮装置の運転台数を増加または減少させることによって前記空気圧縮装置の吐出容量を制御する制御手段とを備えてなる空気圧縮装置の制御装置において、
前記制御手段は、前記圧力検出手段によって検出されたタンク内の圧力の時間当たりの増加率の大きさに応じて、該増加率が大きい場合には小さい場合に比して前記空気圧縮装置の運転台数を減少させる傾向とし、前記増加率が大きい場合に小さい場合に比して低いタンク内の圧力で前記空気圧縮装置の運転台数を減少させることを特徴とする空気圧縮装置の制御装置。
【請求項２】
前記制御手段は、前記増加率からタンク圧の上限圧に到達するまでの上限到達時間を算出し、該上限到達時間が所定の時間以下となった場合、前記空気圧縮装置の運転台数を減少させることを特徴とする請求項１に記載の空気圧縮装置の制御装置。
【請求項３】
前記制御手段は、前記増加率の大きさに応じて、該増加率が大きくなるにつれ前記空気圧縮装置の運転台数を１台ずつ減少させるタンク内の圧力の閾値を低くすることを特徴とする請求項１に記載の空気圧縮装置の制御装置。
【請求項４】
前記制御手段は、前記増加率が所定の増加率を超えたときに、前記空気圧縮装置の運転台数を減少させることを特徴とする請求項１に記載の空気圧縮装置の制御装置。
【請求項５】
前記制御手段は、前記圧力検出手段によって検出されたタンク内の圧力の時間当たりの減少率の大きさに応じて、該減少率が大きい場合には小さい場合に比して前記空気圧縮装置の運転台数を増加させる傾向とすることを特徴とする請求項１ないし４のいずれかに記載の空気圧縮装置の制御装置。
【請求項６】
前記制御手段は、前記増加率からタンク内の下限圧に到達するまでの下限到達時間を算出し、該下限到達時間が所定の時間以下となった場合、前記空気圧縮装置の運転台数を増加させることを特徴とする請求項５に記載の空気圧縮装置の制御装置。
【請求項７】
前記制御手段は、前記複数台の空気圧縮装置のうち一の空気圧縮装置の運転時間と休止時間とからなる１周期が所定周期時間より短い場合、現在の運転状態を維持することを特徴とする請求項１ないし４のいずれかに記載の空気圧縮装置の制御装置。
【請求項８】
前記制御手段は、前記タンク内の圧力が所定の上限圧に達したときに、前記複数の空気圧縮装置の全てを停止させることを特徴とする請求項１ないし４のいずれかに記載の空気圧縮装置の制御装置。
【請求項９】
前記制御手段は、前記タンク内の圧力が所定の下限圧以下のときに、前記複数の空気圧縮装置の全てを運転させることを特徴とする請求項１ないし４のいずれかに記載の空気圧縮装置の制御装置。
【手続補正２】
【補正対象書類名】明細書
【補正対象項目名】０００８
【補正方法】変更
【補正の内容】
【０００８】
そして、請求項１の発明が採用する構成の特徴は、前記制御手段は、前記圧力検出手段によって検出されたタンク内の圧力の時間当たりの増加率の大きさに応じて、該増加率が大きい場合には小さい場合に比して前記空気圧縮装置の運転台数を減少させる傾向とし、前記増加率が大きい場合に小さい場合に比して低いタンク内の圧力で前記空気圧縮装置の運転台数を減少させることにある。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
請求項２の発明が採用する構成の特徴は、前記制御手段は、前記増加率からタンク圧の上限圧に到達するまでの上限到達時間を算出し、該上限到達時間が所定の時間以下となった場合、前記空気圧縮装置の運転台数を減少させることにある。
【手続補正５】
【補正対象書類名】明細書
【補正対象項目名】００１１
【補正方法】変更
【補正の内容】
【００１１】
請求項３の発明が採用する構成の特徴は、前記制御手段は、前記増加率の大きさに応じて、該増加率が大きくなるにつれ前記空気圧縮装置の運転台数を１台ずつ減少させるタンク内の圧力の閾値を低くすることにある。
【手続補正６】
【補正対象書類名】明細書
【補正対象項目名】００１２
【補正方法】変更
【補正の内容】
【００１２】
請求項４の発明が採用する構成の特徴は、前記制御手段は、前記増加率が所定の増加率を超えたときに、前記空気圧縮装置の運転台数を減少させることにある。
【手続補正７】
【補正対象書類名】明細書
【補正対象項目名】００１３
【補正方法】変更
【補正の内容】
【００１３】
請求項５の発明が採用する構成の特徴は、前記制御手段は、前記圧力検出手段によって検出されたタンク内の圧力の時間当たりの減少率の大きさに応じて、該減少率が大きい場合には小さい場合に比して前記空気圧縮装置の運転台数を増加させる傾向とすることにある。
請求項６の発明が採用する構成の特徴は、前記制御手段は、前記増加率からタンク内の下限圧に到達するまでの下限到達時間を算出し、該下限到達時間が所定の時間以下となった場合、前記空気圧縮装置の運転台数を増加させることにある。
【手続補正８】
【補正対象書類名】明細書
【補正対象項目名】００１９
【補正方法】変更
【補正の内容】
【００１９】
また、制御手段は、増加率の大きさに応じて、該増加率が大きい場合には小さい場合に比して低いタンク内の圧力で前記空気圧縮装置の運転台数を減少させる。これにより、圧縮空気の消費量に応じてタンク内圧を低くできるので、より空気圧縮装置の消費電力を低減することができる。
【手続補正９】
【補正対象書類名】明細書
【補正対象項目名】００２０
【補正方法】変更
【補正の内容】
【００２０】
請求項２の発明によれば、制御手段は、増加率からタンク圧の上限圧に到達するまでの上限到達時間を算出し、該上限到達時間が所定の時間以下となった場合、前記空気圧縮装置の運転台数を減少させる。これにより、圧縮空気の消費量が少ないときは、タンク内圧力が低い圧力で、上限到達時間が所定以下となるので、結果として、タンク内圧力を低く抑えることができ、より空気圧縮装置の消費電力を低減することができる。
【手続補正１０】
【補正対象書類名】明細書
【補正対象項目名】００２１
【補正方法】変更
【補正の内容】
【００２１】
請求項３の発明によれば、制御手段は、増加率の大きさに応じて、該増加率が大きくなるにつれ前記空気圧縮装置の運転台数を１台ずつ減少させるタンク内の圧力の閾値を低くすることにより、増加率を低い値に抑えることができ、より空気圧縮装置の消費電力を低減することができる。
【手続補正１１】
【補正対象書類名】明細書
【補正対象項目名】００２２
【補正方法】変更
【補正の内容】
【００２２】
請求項４の発明によれば、制御手段は、増加率が所定の増加率を超えたときに、前記空気圧縮装置の運転台数を減少させることにより、増加率を低い値に抑えることができ、より空気圧縮装置の消費電力を低減することができる。
【手続補正１２】
【補正対象書類名】明細書
【補正対象項目名】００２３
【補正方法】変更
【補正の内容】
【００２３】
請求項５の発明によれば、制御手段は、前記圧力検出手段によって検出されたタンク内の圧力の時間当たりの減少率の大きさに応じて、該減少率が大きい場合には小さい場合に比して前記空気圧縮装置の運転台数を増加させる傾向とする。このように構成することにより、圧縮空気の消費量に応じて空気圧縮装置の運転台数が調整され、これにより吐出容量を調整することができる。この結果、空気圧縮装置は圧縮空気の消費量が大きく減少率が大きい場合には空気圧縮装置の運転台数が増加されるので、タンク内の圧力が不足することを防止できる。
請求項６の発明によれば、制御手段は、前記増加率からタンク内の下限圧に到達するまでの下限到達時間を算出し、該下限到達時間が所定の時間以下となった場合、前記空気圧縮装置の運転台数を増加させる。これにより、タンク内の圧力が下限圧に到達する前に、空気圧縮装置の運転台数を増加させることができる。